(57)【特許請求の範囲】
【請求項１】
センターパーツ１、前内股パーツ２、脇ヒップパーツ３、内股パーツ４及びウエストベルト５からなるスライディングパンツであって、
左右両身頃を形成するにあたり、
内股パーツ４がクロッチポイントＣＰで左右がわさ取りになっており、
内股パーツ４の上辺４１が尾骨部から臀溝部に沿って形成され、脇部を経て前中心線Ｍに至るとともに脇ヒップパーツ３の下辺３１と縫合され、
脇ヒップパーツ３の前辺３２と内股パーツ４の前辺４２が前中心線Ｍを形成するとともに前内股パーツ２の前辺２２と縫合され、
前内股パーツ２の内股辺２１とセンターパーツ１の下辺１１が内股線Ｎを形成するとともに内股パーツ４の後辺４３と縫合され、
前内股パーツ２の内辺２３がセンターパーツ１の前辺１２と縫合され、
両身頃の脇ヒップパーツ３の後辺３３が縫合され、
センターパーツ１の上辺１４と前内股パーツ２の上辺２４と脇ヒップパーツ３の上辺３４とによりウエストラインＷを形成するとともにウエストベルト５に縫合され、
前記前内股パーツ２と内股パーツ４が伸縮性を有する生地からなり、脇ヒップパーツ３がクッション性を有するキルティング生地からなることを特徴とするスライディングパンツ。
【請求項２】
前記スライディングパンツの前内股パーツ２の内辺２３の下方から前辺２２の上方へ向かって斜め上方に裁断し、該前内股パーツ２の上側の前内股上部パーツ２ｂを通気性に富むメッシュ状生地で形成したことを特徴とする請求項１記載のスライディングパンツ。
【請求項３】
前記スライディングパンツの脇ヒップパーツ３を伸縮性を有するキルティング生地で形成したことを特徴とする請求項１または２いずれか１項に記載のスライディングパンツ。
【発明の詳細な説明】
【０００１】
【産業上の利用分野】
本発明は、主に野球競技に用いられるスライディングパンツであって、臀部全体から大腿部外側をスライディング時の摩擦から有効に保護し、且つ、競技者の運動機能を阻害しないパターンにより設計され、伸縮性を有する生地により形成されたスライディングパンツに関するものである。
【０００２】
【従来の技術】
従来より、主に野球競技に用いられているスライディングパンツは、前身頃と後身頃とを内股線と体側線により縫合し、大腿部外側に保護用のキルティング部材を縫着したものが一般的であった。
また、競技中の運動機能を阻害しないように、スライディングパンツ本体を伸縮性を有する生地で形成する技術も提案されている。
【０００３】
【発明が解決しようとする課題】
しかし、従来のスライディングパンツは、それに用いられるパーツの大部分が伸縮性を有しない生地を用いて形成されており運動しにくいといった問題があった。
特に、内股部分の伸縮性がないために開脚して守備動作をする際に、内股部分から大腿部に至る部分に生地の引き攣れを生じ、スムーズな運動を阻害するといった問題があった。
また、従来のスライディングパンツは内股部分から大腿部に至る部分の引き攣れを軽減するために、やや余裕をもたせたパターン取りがなされているが、スライディングパンツの上からユニホームを重ねて着用するため、ユニホームの下でしわになり、履き心地が低下するといった問題もあった。
【０００４】
更に、競技中の運動機能の向上を目的として、スライディングパンツ本体を伸縮性を有する生地で形成する技術も提案されていたが、そのようなスライディングパンツにおいてもパターン（カッティング）が従来のものと変わらなかったため、縫製ラインに沿って引き攣れを生じ、根本的な解決とはなっていなかった。
【０００５】
【課題を解決するための手段】
上記課題を解決するために、本発明に係るスライディングパンツの左右両身頃を形成するにあたり、内股部や大臀部の伸縮変化の大きい部位に縫製ラインが重ならないように設計した。
本発明に係るスライディングパンツは、センターパーツ１、前内股パーツ２、脇ヒップパーツ３、内股パーツ４及びウエストベルト５といったパーツからなる。
まず、内股部の伸縮性を向上させるために、内股パーツ４がクロッチポイントＣＰでわさ取りになっており、臀部から大腿部の引き攣れを防止するために、内股パーツ４の上辺４１が尾骨部から臀溝部に沿って形成され、脇部を経て前中心線Ｍに至るとともに脇ヒップパーツ３の下辺３１と縫合される。
脇ヒップパーツ３の前辺３２と内股パーツ４の前辺４２は、前内股パーツ２の前辺２２と縫合されて前中心線Ｍを形成される。
この前中心線Ｍの通る大腿部前面は、長手方向において比較的伸縮変化の少ない部位である。
更に、股間の膨出部のフィット性を向上させるために、前内股パーツ２の内股辺２１とセンターパーツ１の下辺１１が内股線Ｎを形成するとともに内股パーツ４の後辺４３と縫合され、前内股パーツ２の内辺２３がセンターパーツ１の前辺１２と縫合される。
左右両身頃の脇ヒップパーツ３の後辺３３どうし、及びセンターパーツの反対対側の前辺と前内股パーツの内辺とが縫合されて、両身頃が一体となり、センターパーツ１の上辺１４と前内股パーツ２の上辺２４と脇ヒップパーツ３の上辺３４とによりウエストラインＷを形成するとともにウエストベルト５に縫合される。
上記のように形成されるスライディングパンツであって、前記前内股パーツ２と内股パーツ４が伸縮性を有する生地からなり、脇ヒップパーツ３がクッション性を有するキルティング生地からなることを特徴とするスライディングパンツである。
【０００６】
また、本発明に係るスライディングパンツの通気性を向上させ、蒸れを防止する目的で、前記スライディングパンツの前内股パーツ２の内辺２３の下方から前辺２２の上方へ向かって斜め上方に裁断し、該前内股パーツ２の上側の前内股上部パーツ２ｂを通気性に富むメッシュ状生地で形成することも可能である。
【０００７】
更に、従来よりスライディング時の衝撃を緩和する目的で用いられていたキルティング生地を、本発明においては、前記スライディングパンツの脇ヒップパーツ３を伸縮性を有するキルティング生地で形成し、運動機能の向上を図ることも可能である。
【０００８】
【発明の実施の形態】
本発明に係るスライディングパンツは、以下のように実施される。
本発明に係るスライディングパンツは、センターパーツ１、前内股パーツ２、脇ヒップパーツ３、内股パーツ４及びウエストベルト５といったパーツからなるが、前記前内股パーツ２と内股パーツ４が伸縮性を有する生地からなり、脇ヒップパーツ３がクッション性を有するキルティング生地からなることを特徴とするスライディングパンツである。
【０００９】
伸縮性を有する生地としては、スパンデックス生地、ツウウェイ・トリコット生地など縦横両方向に伸縮性を有する生地が好適であるが、生地取りの方向を考慮するならば、メリヤス編み地、ラッセル編み地等を用いることも可能である。キルティング生地としては、従来から用いられているキルティング生地であって、スライディング時の衝撃を十分に緩衝することができる厚みのものを選択して使用できるほか、後述するようにそのキルティング生地自体に伸縮性を有するものを用いることもできる。
【００１０】
前記センターパーツ１は、吸湿性があって、適度な伸縮性を有する綿メリヤス編み地などが適当であるが、特に限定されるものではない。
また、ウエストベルト５は、激しく運動しても、スラディングパンツ自体がずり下がることがないように、幅広の平ゴムなどが適当であるが、特に限定されるものではない。
【００１１】
これらの各パーツを主体として、以下の要件を満たすように裁断縫製される。
図５に本発明に係るスライディングパンツの右半身頃の展開図を示す。
まず、内股部の伸縮性を向上させるために、内股パーツ４がクロッチポイントＣＰで左右がわさ取りになっている。
ここで、「わさ取り」とは、本来別パーツで形成される複数枚のパーツを分けずに、一枚のパーツとして形成するパターン取りをいう。
また、臀部から大腿部の引き攣れを防止するために、内股パーツ４の上辺４１が尾骨部から臀溝部に沿って形成され、脇部を経て前中心線Ｍに至るとともに脇ヒップパーツ３の下辺３１と縫合される。
ここで、尾骨から臀溝に添うラインは、解剖学的には大臀筋の下辺部が大腿二頭筋などの大腿部の裏面に位置する筋肉の上端部が交差するラインであって、臀部のふくらみの下辺にあたるラインを指す。
このラインに沿って内股パーツ４の上辺４１と脇ヒップパーツ３の下辺３１が縫合されることにより、該縫合線が臀部のふくらみの下辺にできる溝状の部分に収まり、臀部に違和感を与えることがない。
【００１２】
脇ヒップパーツ３の前辺３２と内股パーツ４の前辺４２は、前内股パーツ２の前辺２２と縫合されて前中心線Ｍを形成する。
この前中心線Ｍの通る大腿部前面は、長手方向において比較的伸縮変化の少ない部位である。
更に、前内股パーツ２の内股辺２１とセンターパーツ１の下辺１１が内股線Ｎを形成するとともに内股パーツ４の後辺４３と縫合され、前内股パーツ２の内辺２３がセンターパーツ１の右前辺１２と縫合される。
該センターパーツ１は、左右でわさ取りにしても良いが、股間部の膨出部のフィット性を向上させるために、立体縫製で形成しても良い。
左右両身頃の脇ヒップパーツ３の後辺３３が縫合されて、両身頃が一体となり、センターパーツ１の上辺１４と前内股パーツ２の上辺２４と脇ヒップパーツ３の上辺３４とによりウエストラインＷを形成するとともに、ウエストベルト５に縫合される。
【００１３】
また、本発明に係るスライディングパンツの通気性を向上させ、蒸れを防止する目的で、前記スライディングパンツの前内股パーツ２の内辺２３の下方から前辺２２の上方へ向かって斜め上方に裁断し、該内股パーツ２の上側の部材を通気性に富むメッシュ状生地で形成することも可能である。
【００１４】
更に、従来よりスライディング時の衝撃を緩和する目的で、大腿部の外側にキルティング生地を用いていたが、本発明においては、前記スライディングパンツの脇ヒップパーツ３を、伸縮性を有する生地で中綿をサンドイッチして縫い止めた伸縮性を有するキルティング生地で形成し、運動機能の向上を図ることも可能である。
【００１５】
【実施例】
本発明に係るスライディングパンツの実施例を図面を用いて説明する。
本発明に係るスライディングパンツは、図１〜図４に示すようにセンターパーツ１、前内股パーツ２、脇ヒップパーツ３、内股パーツ４及びウエストベルト５といったパーツからなるが、前記前内股パーツ２と内股パーツ４が伸縮性を有する生地からなり、脇ヒップパーツ３がクッション性を有するキルティング生地からなることを特徴とするスライディングパンツである。
【００１６】
伸縮性を有する生地としては、スパンデックス生地、ツウウェイ・トリコット生地など縦横両方向に伸縮性を有する生地が好適であるが、本実施例においてはツウウェイ・トリコット生地を用いた。
キルティング生地としては、従来から用いられているキルティング生地であって、スライディング時の衝撃を十分に緩衝することができる厚みのものを適宜選択して使用できるが、本実施例においては綿メリヤス生地を裏面にを用い、綿パイル生地を表面に用いて、厚さ２ｍｍ程度のポリエステル綿を中綿に用いたキルティング生地を用いた。
【００１７】
前記センターパーツ１は、吸湿性があって、適度な伸縮性を有する綿メリヤス編み地を用い、また、ウエストベルト５は、幅６５ｍｍの平ゴムを用いる。
【００１８】
これらの各パーツを主体として、以下の要件を満たすように裁断縫製される。すなわち、図５に示すように、内股部の伸縮性を向上させるために内股パーツ４がクロッチポイントＣＰで左右がわさ取りになっている。
この場合、生地の取り方向を内股パーツ４の長手方向に最も伸縮性を有する方向に合わせると良い。
また、臀部から大腿部の引き攣れを防止するために、内股パーツ４の上辺４１が尾骨部から臀溝部に沿って形成され、脇部を経て前中心線Ｍに至るとともに脇ヒップパーツ３の下辺３１と縫合される。
【００１９】
脇ヒップパーツ３の前辺３２と内股パーツ４の前辺４２は、前内股パーツ２の前辺２２と縫合されて前中心線Ｍを形成する。
更に、前内股パーツ２の内股辺２１とセンターパーツ１の下辺１１が内股線Ｎを形成するとともに内股パーツ４の後辺４３と縫合され、前内股パーツ２の内辺２３がセンターパーツ１の右前辺１２と縫合される。
該センターパーツ１は左右でわさ取りにし、股間部の膨出部のフィット性を向上させるために、該センターパーツ１の中心線の下方部を摘み縫いして立体縫製した。
左右両身頃の脇ヒップパーツ３の後辺３３が縫合されて、両身頃が一体となり、センターパーツ１の上辺１４と前内股パーツ２の上辺２４と脇ヒップパーツ３の上辺３４とによりウエストラインＷを形成するとともに、ウエストベルト５に縫合される。
【００２０】
本実施例においては、前内股パーツ２の下辺２５と内股パーツ４の下辺４４が形成する裾部分に平ゴム等を巻回縫着して、裾部分の大腿部におけるフィット性を向上させるようにした。
【００２１】
また、他の実施例として図６及び図７に示すように、本発明に係るスライディングパンツの通気性を向上させ、蒸れを防止する目的で、前記スライディングパンツの前内股パーツ２の内辺２３の下方から前辺２２の上方へ向かって斜め上方に裁断し、該前内股パーツ２の上側の前内股上部パーツ２ｂを通気性に富むメッシュ状生地で形成した。
該メッシュ状生地は、ラッセル編み地等が好適であるが、特に限定されるものではない。
【００２２】
更に、他の実施例として、前記脇ヒップパーツ３を形成するキルティング生地を、伸縮性を有する生地で形成することもできる。
たとえば、本実施例において綿メリヤス生地を裏面に、ストレッチパイル生地を表面に用いて、厚さ２ｍｍ程度のウレタンスポンジ等を中綿に用いたキルティング生地を用いた場合、このキルティング生地自体も十分な伸縮性を有することとなり、運動機能の低下を更に低減することができる。
【００２３】
【発明の効果】
本発明は、臀部全体から大腿部外側をスライディング時の摩擦から有効に保護し、且つ、競技者の運動機能を阻害せず着用感の良いスライディングパンツを提供することができる。
【００２４】
本発明に係るスライディングパンツは、主要なパーツを伸縮性に富む生地で形成し、内股部や大臀部の伸縮変化の大きい部位に縫製ラインが重ならないように設計したため、以下のような効果を奏する。
【００２５】
すなわち、主要パーツを伸縮性に富む生地で形成したことにより、体にフィットしたパターン取りができるため、スライディングパンツの上からユニホームを重ねて着用してもしわが生じにくく、履き心地が良い。
特に、内股パーツを左右でわさ取りにしたことにより、前後左右の開脚運動や走行運動をきわめてスムーズに行うことができ、運動機能を損なうことがない。また、臀部付近の縫合線を尾骨部から臀溝部に沿って設けたため、該縫合線が臀部のふくらみの下辺にできる溝状の部分に収まり、臀部に縫合線による違和感を与えることがない。
更に、該縫合線が臀溝から脇部を経て前中心線Ｍに至るように設けられているため、大腿部を引き上げる動作を行ったときに、臀部及び大腿部裏面の引き攣れを低減することができるといった効果をも奏する。
しかも、クロッチポイントから内股部にかかる部位に縫合線がないため、不快な股擦れがなくなり、股擦れによる縫合部のほつれや破れが軽減し、耐久性も向上する。
【００２６】
また、本発明に係るスライディングパンツの前内股パーツの一部をメッシュ状生地で形成することにより、スライディングパンツ自体の耐久性を損なうことなく、内部の通気性を向上させ、蒸れを防止する効果を奏する。
更に、脇ヒップパーツを伸縮性を有するキルティング生地で形成することにより、運動機能の向上を図ることも可能である。
【図面の簡単な説明】
【図１】本発明に係るスライディングパンツの正面図である。
【図２】本発明に係るスライディングパンツの背面図である。
【図３】本発明に係るスライディングパンツの側面図である。
【図４】本発明に係るスライディングパンツを下方から見た斜視図である。
【図５】本発明に係るスライディングパンツのパターン取りを示した展開図である。
【図６】本発明に係る他の実施例のスライディングパンツの正面図である。
【図７】本発明に係る他の実施例のスライディングパンツのパターン取りを示した展開図である。
【符号の説明】
１  センターパーツ
２  前内股パーツ
２ｂ  前内股上部パーツ
３  脇ヒップパーツ
４  腿内股パーツ
５  ウエストベルト
ＣＰ  クロッチポイント
Ｍ  前中心線
Ｗ  ウエストライン
Ｎ  内股線
【図１】
0003610169.tif 000002
【図２】
0003610169.tif 000003
【図３】
0003610169.tif 000004
【図４】
0003610169.tif 000005
【図５】
0003610169.tif 000006
【図６】
0003610169.tif 000007
【図７】
0003610169.tif 000008